(57)【要約】【課題】本発明は、不正開封を防止する構造を有し、簡単な操作で開封することができる衛生的な液体容器を提供するものである。【解決手段】容器本体と中栓ノズルとオーバーキャップからなるプラスチック容器であって、中栓ノズルは容器本体の開口部に固着されており、かつ薄肉部で連接し一体として成形された封止部材を有し、該封止部材は嵌合突起を有し、オーバーキャップは、オーバーキャップの取り外しを防止する不正開封防止バンドと、前記嵌合突起に嵌合する封止部材嵌合部を有し、前記不正開封防止バンドを除去した後、オーバーキャップを下方に移動することにより、封止部材がオーバーキャップに押され、薄肉部から解離して容器が開封されると共に、封止部材は前記嵌合突起と封止部材嵌合部との嵌合によりオーバーキャップに保持されることを特徴とする易開封性プラスチック容器である。【選択図】図１
2010030606.tif 000002
【特許請求の範囲】
【請求項１】
容器本体と中栓ノズルとオーバーキャップからなるプラスチック容器であって、中栓ノズルは容器本体の開口部に固着されており、かつ薄肉部で連接し一体として成形された封止部材を有し、該封止部材は嵌合突起を有し、オーバーキャップは、オーバーキャップの取り外しを防止する不正開封防止バンドと、前記嵌合突起に嵌合する封止部材嵌合部を有し、前記不正開封防止バンドを除去した後、オーバーキャップを下方に移動させることにより、前記封止部材がオーバーキャップに押され、薄肉部が破断して容器が開封されると共に、該封止部材は前記嵌合突起と封止部材嵌合部との嵌合によりオーバーキャップに保持されることを特徴とする易開封性プラスチック容器。
【請求項２】
前記オーバーキャップは、前記中栓ノズルのノズル部に嵌合する液漏れ防止用インナーリングを有し、開封後は、オーバーキャップによって中栓ノズルを再封止できるようにしたことを特徴とする請求項１に記載の易開封性プラスチック容器。
【請求項３】
開封後は、前記中栓ノズルから解離し、オーバーキャップによって保持された封止部材が、中栓ノズルのノズル部に嵌合し、中栓ノズルを再封止できるようにしたことを特徴とする請求項１に記載の易開封性プラスチック容器。
【請求項４】
前記中栓ノズルとオーバーキャップは、ねじ部をもって螺合する構造を有していることを特徴とする請求項２または３に記載の易開封性プラスチック容器。
【発明の詳細な説明】
【技術分野】
【０００１】
本発明は、ソース、油などの液体を収納するプラスチック容器に関し、不正開封を防止する構造を有する易開封性のプラスチック容器に関する。
【背景技術】
【０００２】
従来、ソースや食用油など液体の食品を収納する容器としては、プラスチック製の中栓ノズルに開封用リングと切り込みを設けておき、プルリングを指で引っ張って切り込み部分から開栓する方式の容器が一般的に使用されている。
この方式の容器は、注口の大きさの制約からプルリングの直径を十分大きくすることができず、プルリングに指を入れにくかったり、開封の始めに大きな力を要するなど、特に力の弱い人にとっては開封しづらいものであった。また、プルリングに指を入れて開封するため、ノズル内に指が触れ、衛生的でない側面があった。
【０００３】
また近年、店頭に陳列された商品を不正に開封して異物を混入する犯罪が発生しているため、これらの液体容器についても不正開封を防止する手段が望まれている。
【０００４】
特許文献１に開示されたヒンジ型注口付中栓ノズルは、中味の真正を確保するためのバージンシール性能と中味を注出した時の液切れを良好にする液切れ性能を両立した中栓ノズルであるが、プルリングによる開封である点は改善されておらず、また外側のオーバーキャップが容易に開封できない構造を有していないため、オーバーキャップを取り外して、中栓ノズルの薄肉部分から例えば注射器のようなもので異物を注入することも場合によっては可能である。
この問題点は、特許文献１に開示された中栓ノズルを有する容器に限らず、プルリング式の中栓ノズルを有する液体容器が一般的に有する問題点である。
【特許文献１】特開2005-82227号公報
【発明の開示】
【発明が解決しようとする課題】
【０００５】
本発明は、上記の従来の問題点を解決する目的でなされたものであり、オーバーキャップに不正開封を防止する構造を有し、簡単な操作で開封することができる衛生的な液体容器を提供するものである。
【課題を解決するための手段】
【０００６】
上記の課題を解決するための手段として、請求項１に記載の発明は、容器本体と中栓ノズルとオーバーキャップからなるプラスチック容器であって、中栓ノズルは容器本体の開口部に固着されており、かつ薄肉部で連接し一体として成形された封止部材を有し、該封止部材は嵌合突起を有し、オーバーキャップは、オーバーキャップの取り外しを防止する不正開封防止バンドと、前記嵌合突起に嵌合する封止部材嵌合部を有し、前記不正開封防止バンドを除去した後、オーバーキャップを下方に移動させることにより、前記封止部材がオーバーキャップに押され、薄肉部が破断して容器が開封されると共に、該封止部材は前記嵌合突起と封止部材嵌合部との嵌合によりオーバーキャップに保持されることを特徴とする易開封性プラスチック容器である。
【０００７】
また、請求項２に記載の発明は、前記オーバーキャップは、前記中栓ノズルのノズル部に嵌合する液漏れ防止用インナーリングを有し、開封後は、オーバーキャップによって中栓ノズルを再封止できるようにしたことを特徴とする請求項１に記載の易開封性プラスチック容器である。
【０００８】
また、請求項３に記載の発明は、開封後は、前記中栓ノズルから解離し、オーバーキャップによって保持された封止部材が、中栓ノズルのノズル部に嵌合し、中栓ノズルを再封止できるようにしたことを特徴とする請求項１に記載の易開封性プラスチック容器である。
【０００９】
また、請求項４に記載の発明は、前記中栓ノズルとオーバーキャップは、ねじ部をもって螺合する構造を有していることを特徴とする請求項２または３に記載の易開封性プラスチック容器である。
【発明の効果】
【００１０】
本発明に係る易開封性プラスチック容器は、容器本体と中栓ノズルとオーバーキャップからなり、中栓ノズルは容器本体の開口部に固着されており、かつ薄肉部で連接し一体として成形された封止部材を有し、該封止部材は嵌合突起を有し、オーバーキャップは、オーバーキャップの取り外しを防止する不正開封防止バンドと、前記嵌合突起に嵌合する封止部材嵌合部を有し、前記不正開封防止バンドを除去した後、オーバーキャップを下方に移動させることにより、封止部材がオーバーキャップに押され、薄肉部から解離して容器が開封されると共に、封止部材は前記嵌合突起と封止部材嵌合部との嵌合によりオーバーキャップに保持されることを特徴とするものである。
従って、不正開封防止バンドの働きにより、不正開封防止バンドを除去しない限り、オーバーキャップを取り外すことができないため、一旦オーバーキャップを取り外して、内容物に何らかの手を加え、しかる後に再度オーバーキャップを戻しておくといった不正行為を容認する余地がない。
【００１１】
また、オーバーキャップを下方に移動させるという簡単な操作によって容器を開封することができるので、力の弱い人にも容易に安全に開封することができる。
【００１２】
また、開封操作によって中栓ノズルから解離した封止部材は、封止部材に設けられた嵌合突起とオーバーキャップに設けられた封止部材嵌合部との嵌合により、オーバーキャップに保持されるので、解離した封止部材が容器の内部に落下したりすることもなく、安全に開封することができる。
【００１３】
また、操作上、ノズル内に手が触れることがないので雑菌等が付着することがなく、衛生的である。
【００１４】
オーバーキャップが中栓ノズルのノズル部に嵌合する液漏れ防止用インナーリングを有しており、開封後は、オーバーキャップによって中栓ノズルを再封止できるようにした場合には、一旦開封した後も容器をオーバーキャップによって再度封止することができるので、一度に内容物を使い切らない用途の場合には、便利に使用できる。
【００１５】
また開封後に、中栓ノズルから解離し、オーバーキャップによって保持された封止部材が、中栓ノズルのノズル部に嵌合し、中栓ノズルを再封止できるようにした場合には、開封後に封止部材を除去する必要がなく、封止部材がそのまま再封用の働きをするので、より一層使い勝手が良くなる。
【００１６】
中栓ノズルとオーバーキャップが、ねじ部で螺合する構造を有している場合には、開封後に再封する場合に、中栓ノズルとオーバーキャップがねじ部で螺合しているため、不用意にオーバーキャップが外れることもなく、確実に再封止することができる。
【発明を実施するための最良の形態】
【００１７】
図面に従って本発明に係る易開封性プラスチック容器を実施するための最良の形態について説明する。
図１は、本発明に係る易開封性プラスチック容器の一実施形態を示した斜視説明図であり、図２は図１に示した易開封性プラスチック容器の注口部分の断面説明図である。
図２の左半分は、未開封の状態を示しており、右半分は、開封後の状態を示している。
【００１８】
本発明に係る易開封性プラスチック容器は、容器本体１と中栓ノズル２とオーバーキャップ５とからなり、中栓ノズル２は容器本体１の開口部に固着されている。固着の方法としては、図２に示したような打ち込みと称する機械的な嵌合による場合の他、接着剤による接着、超音波加熱による融着などの手段を用いることができる。
【００１９】
中栓ノズル２は、薄肉部９で連接し一体として成形された封止部材４を有し、封止部材４は、嵌合突起１１を有している。一方オーバーキャップ５は、不正開封防止バンド６と、前記嵌合突起１１に嵌合する封止部材嵌合部７を有している。
容器内の内容物は、容器本体１と中栓ノズル２とによって密封されている。
【００２０】
オーバーキャップ５は、不正開封防止バンド６によって容器本体１に嵌合、係止しており、不正開封防止バンド６を除去しない限り、容器本体１から取り外すことはできない。ここでいう不正開封防止バンドは、一般にタンパーエビデントシールと称されるものであり、オーバーキャップ５の下辺に延設され、オーバーキャップ本体とはミシン目や溝、薄肉加工等を介して繋がっており、手で容易に引き剥がすことができるが、一旦剥がした場合には、元に戻すことはできないものである。
不正開封防止バンド６の内側には、容器本体１に設けた凹凸に嵌合する係止突起１２が設けられており、容器本体に嵌合、係止する。また、オーバーキャップ本体の下辺にも同様の係止突起１３が設けられており、不正開封防止バンド６が除去された後は、この係止突起１３によって容器本体１と嵌合、係止する。
【００２１】
図２の右半分に示したように、今不正開封防止バンド６を除去した後、オーバーキャップ５を下方に押し下げると、封止部材４に設けられた嵌合突起１１は、オーバーキャップ５に設けられた封止部材嵌合部７と嵌合する。封止部材４は、さらにオーバーキャップ５に押される結果、薄肉部９が破断して中栓ノズル２から解離し、容器が開封される。この時、中栓ノズル２から解離した封止部材４は、オーバーキャップ５によって保持されるため、容器の内部に落下するようなことはない。
またこの時、オーバーキャップ５に設けられた液漏れ防止用インナーリング８が中栓ノズル２のノズル部３に嵌合するので、内容物が漏れ出すこともない。
【００２２】
開封操作が終了した容器は、オーバーキャップ５に保持された封止部材４を除去するとオーバーキャップ５に設けられている液漏れ防止用インナーリングが封止効果を発揮するので、オーバーキャップ５をかぶせることによって再封することができる。従って、開封後も継続して使用するような用途の場合にも、好適に使用することができる。
【００２３】
図３は、本発明に係る易開封性プラスチック容器の他の実施形態における注口部分の断面説明図であり、前図と同様左半分は、未開封の状態を、また右半分は開封後の状態を示している。
この実施形態においては、中栓ノズル２とオーバーキャップ５は、ねじ部１０によって螺合する構造を有している。
【００２４】
図３に示した実施形態においては、図２の場合と異なり嵌合突起１１は、未開封の状態の時から封止部材嵌合部７に嵌合している。
また開封後にオーバーキャップ５に保持された封止部材４を除去し、オーバーキャップ５
をねじこむことにより、液漏れ防止用インナーリング８が働いて、確実に再封止が可能となる。
この時、オーバーキャップ５は、中栓ノズル２とねじ部１０によって螺合しているので、容器が倒れた時などでも不用意に外れることはなく、容器としての安全性が高い。
【００２５】
図４は、本発明に係る易開封性プラスチック容器の他の実施形態における注口部分の断面説明図であり、同様にして左半分が未開封の状態を示しており、右半分が開封後の状態を示している。
この実施形態においては、封止部材４の嵌合突起１１は、始めからオーバーキャップ５の封止部材嵌合部７に嵌合しており、不正開封防止バンド６を除去した後、オーバーキャップ５を下方に押し込んで移動させることにより、中栓ノズル２の薄肉部９が破断して開封されるが、封止部材４は中栓ノズル２のノズル部３にそのまま嵌合するようになっており、開封後は、この封止部材４とオーバーキャップ５とが一体となって再封用の蓋の役割を果たす。
この実施形態においては、開封操作の後で、封止部材４を除去する必要がないので、容器としての使い勝手に優れている。
【００２６】
なお、図４に示された実施形態のように、封止部材４が始めからオーバーキャップ５の封止部材嵌合部７に強固に嵌合している場合には、不正開封防止バンド６を除去した後、オーバーキャップを下方に押し込むのではなく、上方に引き上げることによっても開封することができる。
【００２７】
容器本体、中栓ノズル、オーバーキャップの材質としては、ポリエステル樹脂（ＰＥＴ＝ポリエチレンテレフタレート）樹脂、塩化ビニル樹脂、ポリエチレン樹脂、ポリプロピレン樹脂、ポリスチレン樹脂等、公知の熱可塑性プラスチック材料が使用可能であり、これらの樹脂を単体で、または組み合わせて使用することができる。またガスバリア性を向上させるために、容器本体の内面あるいは中間にバリア層を設けることもできる。ガスバリア層としては、エチレンビニルアルコール共重合体、ポリ塩化ビニリデン等のガス遮断性有機材料や、金属あるいは金属酸化物等の薄膜、あるいはこれらを複数層組み合わせた遮断膜を設けることができる。
【図面の簡単な説明】
【００２８】
【図１】本発明に係る易開封性プラスチック容器の一実施形態を示した斜視説明図。
【図２】図１に示した易開封性プラスチック容器の注口部分の断面説明図。
【図３】本発明に係る易開封性プラスチック容器の他の実施形態における注口部分の断面説明図。
【図４】本発明に係る易開封性プラスチック容器の他の実施形態における注口部分の断面説明図。
【符号の説明】
【００２９】
１・・・容器本体
２・・・中栓ノズル
３・・・ノズル部
４・・・封止部材
５・・・オーバーキャップ
６・・・不正開封防止バンド
７・・・封止部材嵌合部
８・・・液漏れ防止用インナーリング
９・・・薄肉部
１０・・・ねじ部
１１・・・嵌合突起
１２・・・係止突起
１３・・・係止突起
【図１】
2010030606.tif 000003
【図２】
2010030606.tif 000004
【図３】
2010030606.tif 000005
【図４】
2010030606.tif 000006